(57)【要約】【課題】本発明の実施形態は、組立室及び予備室の塵埃量、水分量の増加を抑制する電気機器の現地組立クリーンハウス及び組立方法を提供することを目的とする。【解決手段】本発明にかかる現地組立クリーンハウスの実施形態は、分解して搬送された電気機器を現地で組立てる現地組立クリーンハウスにおいて、電気機器を組立てる組立室１と、組立室１と気密に仕切る第１のシャッター２を介して、組立室１と隣接して設置された予備室３と、予備室３と気密に仕切る第２のシャッター４を介して、予備室３と隣接して設置された準備室５と、準備室５に電気機器を搬入する搬入口６とを備えることを特徴とする。【選択図】図１
2011258725.tif 000002
【特許請求の範囲】
【請求項１】
分解して搬送された電気機器を現地で組立てる現地組立クリーンハウスにおいて、
電気機器を組立てる組立室と、
前記組立室と気密に仕切る第１のシャッターを介して、前記組立室と隣接して設置された予備室と、
前記予備室と気密に仕切る第２のシャッターを介して、前記予備室と隣接して設置された準備室と、
前記準備室に電気機器を搬入する搬入口とを
備えることを特徴とする現地組立クリーンハウス。
【請求項２】
開口寸法が異なる複数の前記搬入口が備えられ、
搬入する電気機器の大きさに応じて、開口する前記搬入口を選択可能であることを特徴とする請求項１記載の現地組立クリーンハウス。
【請求項３】
前記準備室内を空気清浄する空調装置と、
前記準備室内の空気を除湿する除湿装置とを
備えることを特徴とする請求項１又は２記載の現地組立クリーンハウス。
【請求項４】
前記空調装置は、前記準備室内の気圧を大気圧より高圧とすることを特徴とする請求項１乃至３記載のいずれか１項記載の現地組立クリーンハウス。
【請求項５】
前記搬入口が開いている際は、前記第２のシャッターを開ける操作を無効とし、前記第２のシャッターが開いている際は、前記搬入口を開ける操作を無効とする制御部を備えることを特徴とする請求項１乃至４のいずれか１項記載の現地組立クリーンハウス。
【請求項６】
電気機器を組立てる組立室と、
前記組立室と気密に仕切る第１のシャッターを介して、前記組立室と隣接して設置された予備室と、
前記予備室と気密に仕切る第２のシャッターを介して、前記予備室と隣接して設置された準備室と、
前記準備室に電気機器を搬入する搬入口とを
備える現地組立クリーンハウスを用いて、分解、梱包して搬送された電気機器を現地で組立てる組立方法において、
前記搬入口を開け、前記搬入口から前記準備室に梱包された電気機器を搬入し、前記搬入口を閉めるステップと、
前記第２のシャッターを開け、前記第２のシャッターから前記予備室に梱包された電気機器を搬入し、前記第２のシャッターを閉め、梱包された電気機器を開梱するステップと、
前記第１のシャッターを開け、前記第１のシャッターから前記組立室に開梱された電気機器を搬入し、第１のシャッター２を閉めるステップとを
備えることを特徴とする電気機器組立方法。
【発明の詳細な説明】
【技術分野】
【０００１】
本発明の実施形態は、分解されて搬送された変圧器等の電気機器を現地で組立てる現地組立クリーンハウス及び電気機器組立方法に関する。
【背景技術】
【０００２】
変圧器等の大型電気機器の現地組立環境における塵埃量、水分量は、機器の性能を左右する重要な要因であるため、クリーンハウス内の防塵防湿管理は最も重要な管理項目である。
【０００３】
従来の現地組立クリーンハウスは、組立室と予備室とを気密に仕切り可能なシャッターで隣り合わせに配置した構成となっており、部品の搬入は予備室の屋根を開口することによって、予備室の上部から行っていた。つまり、電気機器を予備室の屋根以上の高さまでクレーン等で吊り上げ、開口した予備室の屋根から電気機器を予備室内に降ろしている。
【０００４】
しかし、この方法では雨天時に電気機器を搬入する場合等に、予備室の天井を開口することが、予備室内の塵埃量、水分量に悪影響を与えるという課題が発生していた。
【０００５】
上述した課題を解決する方法として特許文献１に示す方法が考えられている。この方法は、予備室の屋根を開口せず、予備室の側面からクレーン等の起重機により搬入する方法である。
【先行技術文献】
【特許文献】
【０００６】
【特許文献１】特開２００２−２８９４４７号公報
【発明の概要】
【発明が解決しようとする課題】
【０００７】
特許文献１に示した、電気機器を予備室の側面から起重機により搬入する方法では、搬入時に予備室に侵入する塵埃量、水分量を抑制することが出来なかった。
【０００８】
本発明の実施形態は、搬入時の予備室の塵埃量、水分量の増加を抑制する電気機器の現地組立クリーンハウス及び電気機器組立方法を提供することを目的とする。
【課題を解決するための手段】
【０００９】
本発明に係る現地組立クリーンハウスの実施形態は、分解して搬送された電気機器を現地で組立てる現地組立クリーンハウスにおいて、電気機器を組立てる組立室と、前記組立室と気密に仕切る第１のシャッターを介して、前記組立室と隣接して設置された予備室と、
前記予備室と気密に仕切る第２のシャッターを介して、前記予備室と隣接して設置された準備室と、前記準備室に電気機器を搬入する搬入口とを備えることを特徴とする。
【発明の効果】
【００１０】
本発明の実施形態によれば、搬入時の予備室の塵埃量、水分量の増加を抑制する現地組立クリーンハウス及び電気機器組立方法を提供することが可能となる。
【図面の簡単な説明】
【００１１】
【図１】本発明に係る現地組立クリーンハウスの第１の実施形態の構成を示す図。
【図２】本発明に係る現地組立クリーンハウスの第２の実施形態の構成を示す図。
【図３】本発明に係る現地組立クリーンハウスの第３の実施形態の構成を示す図。
【図４】本発明に係る現地組立クリーンハウスの第４の実施形態の構成を示す図。
【発明を実施するための形態】
【００１２】
本発明に係る現地組立クリーンハウスに関する実施形態について図面を用いて説明する。
【００１３】
（第１の実施形態）
本発明に係る現地組立クリーンハウスに関する第１の実施形態の構成について図１を用いて説明する。
【００１４】
図１は、本実施形態の電気機器の現地組立クリーンハウスの構成を示す図である。現地組立クリーンハウスは、組立室１、第１のシャッター２、予備室３、第２のシャッター４、準備室５、搬入口６から構成される。
【００１５】
組立室１は、予備室３と隣接して配置され、組立室１と予備室３との間は、第１のシャッター２によって気密に仕切られている。第１のシャッター２を開けることによって、組立室１と予備室３との間を行き来することが可能である。
【００１６】
予備室３は、準備室５と隣接して設置され、予備室３と準備室５との間は、第２のシャッター４によって気密に仕切られている。第２のシャッター４を開けることによって、予備室３と準備室５との間を行き来することが可能である。
【００１７】
準備室５には搬入口６が設置されており、搬入口６を開けることによって、準備室５に電気機器の搬入が可能である。
【００１８】
次に、作業者が、分解されて個別に梱包された電気機器を本実施形態の現地組立クリーンハウスの組立室１に搬入する手順について説明する。
【００１９】
まず、搬入口６を開け、この搬入口６が梱包された電気機器が入る大きさ以上に開いたことを確認すると、準備室５に梱包された電気機器を搬入し、搬入口６を閉める。ここで、作業者が準備室５に搬入する方法としては、電気機器を搭載したトラック、フォークリフト、エアパレット等を用いる。
【００２０】
次に、第２のシャッター４を開け、この第２のシャッター４が梱包された電気機器が入る大きさ以上に開いたことを確認すると、予備室３に梱包された電気機器を搬入し、第２のシャッター４を閉め、梱包された電気機器を開梱する。ここで、作業者が準備室５から予備室３に搬入する方法としては、準備室５又は予備室３に設置されたクレーン等の起重機やベルトコンベア等を用いる。
【００２１】
さらに、第１のシャッター２を開け、この第１のシャッター２が電気機器の入る大きさ以上に開いたことを確認すると、組立室１に電気機器を搬入し、第１のシャッター２を閉める。ここで、作業者が予備室３から組立室１に搬入する方法としては、予備室３又は組立室１に設置されたクレーン等の起重機やベルトコンベア等を用いる。
【００２２】
以上が、電気機器を搬入する手順であり、この手順を繰り返し、組立室１において電気機器の組立てに必要な部品が揃った後に、電気機器の組立が可能となる。
【００２３】
本実施形態によれば、準備室５を設けることによって、組立室１だけでなく、予備室３も直接外気と触れることがなくなるため、組立室１及び予備室３内の塵埃量、水分量の増加を少なくすることが可能である。
【００２４】
なお、準備室５にエアシャワーを設けることによって、電気機器を搬入する際に準備室５に侵入する塵埃量や水分量を抑制することが可能である。
【００２５】
（第２の実施形態）
本発明に係る現地組立クリーンハウスに関する第２の実施形態の構成について図２を用いて説明する。図２は、図１の電気機器の現地組立クリーンハウスをＡ矢印から見た場合のＡ矢視図である。
【００２６】
本実施形態が第１の実施形態と異なる点は、準備室５に大きさの異なり、開口端を共有する複数の搬入口６−１〜６−３が設けられている点である。作業者は、搬入する電気機器の大きさに応じて搬入口６−１〜６−３を選択できる。つまり、搬入する電気機器が搬入口６−１で入る大きさであれば、不必要に大きな搬入口６−３を開けて搬入する必要は無く、必要最低限の搬入口の大きさを選択する。
【００２７】
本実施形態によれば、第１の実施形態の効果に加え、大きさの異なる搬入口を複数設け、搬入する電気機器の大きさに応じて開ける搬入口を選択することにより、準備室５に侵入する外気を抑えられるため、組立室１及び予備室３内の塵埃量、水分量の増加をさらに少なくすることが可能である。
【００２８】
（第３の実施形態）
本発明に係る現地組立クリーンハウスに関する第３の実施形態の構成について図３を用いて説明する。第１の実施形態と同一の構成には同一の符号を付し、説明は省略する。
【００２９】
図３は、本実施形態の電気機器の現地組立クリーンハウスの構成を示す図である。本実施形態が第１の実施形態と異なる点は、第１の実施形態の構成に加え、準備室５に空調装置７、除湿装置８を備える点である。
【００３０】
空調装置７は、準備室５内の空気をクリーンハウス外部に排出すると共に、外部の塵埃を除去した空気を内部に取り込む（以下、「空気清浄」という）。除湿装置８は、クリーンハウス内部の空気を除湿し、外部に排出する。
【００３１】
本実施形態によれば、第１の実施形態の効果に加え、準備室５内の塵埃量、水分量を減少させるため、組立室１及び予備室３の塵埃量、水分量の増加をさらに少なくすることが可能である。
【００３２】
なお、空調装置７が準備室５の気圧を調整する機能を持たせることにより、準備室５内の気圧をクリーンハウス外部（大気圧）より高く設定しても良い。このようにすることで、搬入口６を開けた際の外気の侵入量を抑えることが可能であり、さらに組立室１及び予備室３の塵埃量、水分量の増加をさらに少なくすることが可能である。
【００３３】
同様に、組立室１及び予備室３、にも空調装置を夫々設置し、組立室１内及び予備室３内の空気清浄し、さらに、組立室１の気圧Ｐ１、予備室３の気圧Ｐ２、準備室５の気圧Ｐ３を、Ｐ１＞Ｐ２＞Ｐ３＞大気圧という条件に設定しても良い。このような構成とすることで、準備室５への外気の侵入と、予備室３への準備室５からの外気の侵入と、組立室１への予備室３からの外気の侵入とが抑制される。
【００３４】
（第４の実施形態）
本発明に係る現地組立クリーンハウスに関する第４の実施形態の構成について図４を用いて説明する。第１の実施形態と同一の構成には同一の符号を付し、説明は省略する。
【００３５】
図４は、本実施形態の電気機器の現地組立クリーンハウスの構成を示す図である。本実施形態が第１の実施形態と異なる点は、第１の実施形態の構成に加え、制御部９を備える点である。
【００３６】
制御部９は、搬入口６が開いている際は、第２のシャッター４を開ける操作を無効とし、同様に第２のシャッター４を開いている際は、搬入口６を開ける操作を無効としている。
【００３７】
本実施形態によれば、第１の実施形態の効果に加え、搬入口６と第２のシャッター４との両方が開くことが無くなり、準備室５への外気の侵入をさらに抑制することが可能である。
【００３８】
なお、本実施形態における制御部９は、搬入口６と第２のシャッター４とを制御しているが、第２のシャッター４と第１のシャッター２を同様の方法で制御しても良い。つまり、第２のシャッター４が開いている時は、第１のシャッター２を開ける操作を無効とし、第１のシャッター２が開いている時は、第２のシャッター４を開ける操作を無効としても同様の効果を得ることが可能である。
【符号の説明】
【００３９】
１…組立室
２…第１のシャッター
３…予備室
４…第２のシャッター
５…準備室
６、６−１、６−２、６−３…搬入口
７…空調装置
８…除湿装置
９…制御部
【図１】
2011258725.tif 000003
【図２】
2011258725.tif 000004
【図３】
2011258725.tif 000005
【図４】
2011258725.tif 000006